(57)【要約】【課題】青果物を安定させる機能をより長く維持でき、しかも保守、又は整備の手間が少なくて済むトレーの青果物保持構造を提供する。【解決手段】トレーの青果物保持構造７は、下向きのリップ部９を開口部３の内側へ延出した外周リング１１と、椀形部材３３に複数の舌片３５とフランジ３７を形成した内装部材１５と、トレー５の開口部３の内側で内装部材１５を支持する支持体１７とを備える。内装部材１５は、椀形部材３３のフランジ３７よりも低い部位４７を肉厚にしている。外周リング１１は、トレー５の開口部３の周縁１に着脱自在に取付けられ、トレー５は、内装部材１５に突き当たる底部２７を有し、外周リング１１と底部２７との間に内装部材１５を挟持している。【選択図】図２
2011126550.tif 000002
【特許請求の範囲】
【請求項１】
周縁を上向きにした開口部を有するトレーに受け止められる青果物を、前記開口部に位置決めするトレーの青果物保持構造であって、
前記開口部の周縁に設けられ、前記開口部の内側にリップ部を延出した外周リングと、
前記外周リングのリップ部に上端を密接し下方へ向かうに従い直径の縮小する椀形部材に、青果物の荷重で下向きに弾性変形する複数の舌片を前記椀形部材の内側へ突出するよう形成し、前記舌片の下方で青果物を受け止めるフランジを前記椀形部材からその内側へ突出するよう形成した内装部材と、
前記トレーの開口部の内側で前記内装部材を支持する支持体と、
を備えることを特徴とするトレーの青果物保持構造。
【請求項２】
前記内装部材は、前記椀形部材のフランジよりも低い部位を肉厚にしたことを特徴とする請求項１に記載のトレーの青果物保持構造。
【請求項３】
前記外周リングは、前記トレーの開口部の周縁に着脱自在に取付けられ、前記トレーは、前記内装部材の突き当たる底部を有し、前記外周リングと前記底部との間に、前記内装部材を挟持したことを特徴とする請求項１又は２に記載のトレーの青果物保持構造。
【請求項４】
前記支持体は、互いに前記内装部材を挟む位置で対向し、かつ前記内装部材をその下方、及び水平方向から支持する複数のリブを備えることを特徴とする請求項１乃至３の何れか一つに記載のトレーの青果物保持構造。
【発明の詳細な説明】
【技術分野】
【０００１】
本発明は、様々な大きさの青果物をトレーに対して安定に保持するトレーの青果物保持構造に関する。
【背景技術】
【０００２】
特許文献１は、トレーの開口部の周縁に環形の上部フランジを取付け、この上部フランジの内側に配置した受座に青果物が受け止められることを記している。特許文献２は、トレーの開口部の周縁に環形の揺れ止め部材を取付け、この揺れ止め部材の内側に配置した受座に農産物が受け止められることを記している。
【０００３】
上記の受座の材料は、その弾性率、又は硬さ等が長期にわたって変化しないものが望ましい。しかしながら、受座に青果物を載せられ、又は受座から青果物を取り去られることの繰り返しに起因する著しい変形に耐えるような受座の材料を選定するのは困難である。また、トレーは、定期的に受座を交換する作業が容易であることに加え、トレーの内側に埃等の浸入しない構造であることが求められる。
【先行技術文献】
【特許文献】
【０００４】
【特許文献１】特開２０００−２５４５９４号公報
【特許文献２】特開２００２−１１４１４号公報
【発明の概要】
【発明が解決しようとする課題】
【０００５】
本発明は、上記の実情に鑑みて為されたものであり、その目的とするところは、青果物を安定させる機能をより長く維持でき、しかも保守、又は整備の手間が少なくて済むトレーの青果物保持構造を提供することにある。
【課題を解決するための手段】
【０００６】
本発明は、周縁を上向きにした開口部を有するトレーに受け止められる青果物を、前記開口部に位置決めするトレーの青果物保持構造であって、前記開口部の周縁に設けられ、前記開口部の内側にリップ部を延出した外周リングと、前記外周リングのリップ部に上端を密接し下方へ向かうに従い直径の縮小する椀形部材に、青果物の荷重で下向きに弾性変形する複数の舌片を前記椀形部材の内側へ突出するよう形成し、前記舌片の下方で青果物を受け止めるフランジを前記椀形部材からその内側へ突出するよう形成した内装部材と、前記トレーの開口部の内側で前記内装部材を支持する支持体と、を備えることを特徴とする。
【０００７】
また、本発明は、前記内装部材が、前記椀形部材のフランジよりも低い部位を肉厚にしたことを特徴とする。
【０００８】
また、本発明は、前記外周リングが、前記トレーの開口部の周縁に着脱自在に取付けられ、前記トレーは、前記内装部材の突き当たる底部を有し、前記外周リングと前記底部との間に、前記内装部材を挟持したことを特徴とする。
【０００９】
また、本発明は、前記支持体が、互いに前記内装部材を挟む位置で対向し、かつ前記内装部材をその下方、及び水平方向から支持する複数のリブを備えることを特徴とする。
【発明の効果】
【００１０】
本発明に係るトレーの青果物保持構造によれば、トレーの開口部の内側に青果物が進入し、内装部材の複数の舌片が青果物の荷重を受けて下向きに弾性変形する。この状態で、青果物は、舌片の下方に位置するフランジに受け止められ、複数の舌片の弾性力により内装部材に位置決めされるので、青果物の不用意な横揺れが起こらない。これは、複数の舌片を下向きに弾性変形させるに足りる重さの青果物であれば、あらゆる形態の青果物に対して達成される効果である。
【００１１】
青果物の荷重は、椀形部材のフランジよりも低い部位を下向きに押さえる力として作用する。一方、内装部材を支持する支持体は、椀形部材のフランジよりも低い部位を補強する役割を果たすので、内装部材に青果物を載せられ、又は内装部材から青果物を取り去ることが繰り返されても、これにより内装部材の椀形部材に余計な応力が生じない。このため、当該トレーの青果物保持構造によれば、椀形部材の歪み、又は型崩れを長期にわたって予防することができ、内装部材を長期間使い続けられるので、内装部材を取り換える手間を減らすことができる。また、椀形部材のフランジよりも低い部位を肉厚にすれば、ここに述べた効果は顕著になる。
【００１２】
しかも、当該トレーの青果物保持構造によれば、上記のように椀形部材の歪み、又は型崩れを予防できるので、内装部材に青果物を載せられたとき、内装部材の上端が外周リングのリップ部から離脱することがない。このように、当該トレーの青果物保持構造は、外周リングのリップ部と内装部材の上端との密接を保つことにより、両者の間に埃等が浸入するのを予防できるので、トレーの内側に埃等が溜ることはない。
【００１３】
更に、本発明に係るトレーの青果物保持構造によれば、トレーの開口部の周縁から外周リングを取り外すだけで、内装部材を直ちにトレーから取り出すことができる。そして、新たな内装部材をトレーの底部に突き当たるようにトレーの開口部へ進入させ、開口部の周縁に外周リングを再び取付ければ、トレーに新たな内装部材を装着することができる。或いは、外周リングが柔軟である場合、外周リングの内側が内装部材の通過できる広さになるように外周リングを変形させれば、外周リングをトレーから取り外すことなく、上記の内装部材の取り出し、又は装着を行うことができる。このように、当該トレーの青果物保持構造は、内装部材の交換を容易に行えるので、トレーの保守、又は整備の手間が少なくて済むという利点がある。
【図面の簡単な説明】
【００１４】
【図１】本発明の実施形態に係るトレーの青果物保持構造の平面図。
【図２】図１のＡ−Ａ線断面図。
【図３】本発明の実施形態に係るトレーの青果物保持構造に適用したトレーの平面図。
【図４】図３のＢ−Ｂ線断面図。
【図５】本発明の実施形態に係るトレーの青果物保持構造に適用した内装部材の平面図。
【図６】（ａ）は本発明の実施形態に係るトレーの青果物保持構造に適用した内装部材の側面図、（ｂ）はその断面図。
【図７】本発明の実施形態に係るトレーの青果物保持構造による青果物の第一の載置例を示す断面図。
【図８】本発明の実施形態に係るトレーの青果物保持構造による青果物の第二の載置例を示す断面図。
【図９】本発明の実施形態に係るトレーの青果物保持構造による青果物の第三の載置例を示す断面図。
【発明を実施するための形態】
【００１５】
図１，２は、周縁１を上向きにした開口部３を有するトレー５で青果物を受け止めるトレーの青果物保持構造７を示している。トレーの青果物保持構造７は、下向きのリップ部９を開口部３の内側へ延出した外周リング１１と、外周リング１１のリップ部９に上端１３を密接した内装部材１５と、トレー５の開口部３の内側で内装部材１５を支持する支持体１７とを備える。以下の説明で特に断らない限り、図面は図１，２を参照する。
【００１６】
トレー５の外径は約１５０ｍｍであり、外周リング１１の内径は約１１０ｍｍである。これらは説明の便宜により設定した値である。トレーの青果物保持構造７を構成する要素は、それぞれの寸法を何ら限定されることはない。外周リング１１は基材１９に接合されている。基材１９は、その溝部２１にトレー５の周縁１を嵌入させ、爪２３をトレー５の内周面に掛止することにより、開口部３の周縁１に着脱自在に取付けられている。外周リング１１の材料として適度な弾性を有するナイロンを適用しても良い。
【００１７】
図３，４に示すように、通気孔２５がトレー５の底部２７に貫かれている。支持体１７は、通気孔２５を中心に放射状に延びる複数のリブ２９である。複数のリブ２９は、それぞれの縁部３１を互いに内装部材１５を挟む位置で対向させている。縁部３１は、内装部材１５の外形に沿った曲線状に成形され、内装部材１５にその下方、及び水平方向から突き当たる。
【００１８】
図５，６に示すように、内装部材１５は、上端１３から下方へ向かうに従い直径の縮小する椀形部材３３に、放射状に並ぶ複数の舌片３５、及び舌片３５の下方に位置するフランジ３７を形成したものである。椀形部材３３の材料は、適度な剛性を有することが好ましい。舌片３５は、椀形部材３３の上端１３から椀形部材３３の内側へ先端３９を突出している。図５は、隣り合う舌片３５の間の放射状のスリット４１、及び複数の舌片３５のそれぞれの先端３９の間から見えるフランジ３７の中央孔４３を表している。
【００１９】
青果物４５の直径が５０〜６５ｍｍの場合、図７に示すように、青果物４５は外周リング１１の内側を通り抜け、開口部３の内側に進入する。複数の舌片３５が、青果物４５の荷重を受けて下向きに曲がるよう弾性変形し、フランジ３７が青果物４５を受け止める。この状態で、複数の舌片３５がその形状を復元しようとする弾性力により、青果物４５は内装部材１５に位置決めされるので、例えばトレー５が搬送される過程で振動を受ける等しても青果物４５の横揺れを予防できる。図８に示すように、青果物４５の直径が大きいときは、その分、複数の舌片３５が青果物４５の側方へ退くように弾性変形するが、トレーの青果物保持構造７の達成できる効果は上述の通りである。
【００２０】
また、フランジ３７はその全周で連続した形状であるので、青果物４５の荷重を受けたときにフランジ３７の下向きに曲がる割合は、個々の舌片３５が青果物４５の荷重で曲げられるのに比較して小さい。このため、青果物４５の荷重は、フランジ３７を介して椀形部材３３のフランジ３７よりも低い部位４７に伝わり、この部位４７を下向きに押さえる力として作用する。
【００２１】
一方、支持体１７は、椀形部材３３の部位４７を補強する役割を果たすので、内装部材１５に青果物４５を載せられ、又は内装部材１５から青果物４５を取り去ることが繰り返されても、これにより内装部材１５の椀形部材３３に余計な応力が生じない。このため、トレーの青果物保持構造７によれば、椀形部材３３の歪み、又は型崩れを長期にわたって予防することができ、内装部材１５を長期間使い続けられるので、内装部材１５を取り換える手間を減らすことができる。特に、椀形部材３３の部位４７が肉厚になるように部位４７の厚みを増大すれば、ここに述べた効果は顕著になる。
【００２２】
しかも、トレーの青果物保持構造７は、上記のように椀形部材３３の歪み、又は型崩れを予防できるので、内装部材１５の上端１３が外周リング１１のリップ部９から離脱することがなく、外周リング１１のリップ部９と内装部材１５の上端１３との密接が保たれる。このため、外周リング１１と内装部材１５との間からトレー５の内側に埃等の浸入することがないので、トレー５の内側に埃等が溜ることがない。
【００２３】
図９に示すように、青果物４５の直径が１１０ｍｍを超える場合、青果物４５は外周リング１１によって支持される。この状態で、外周リング１１は、そのリップ部９を青果物４５の荷重により下向きに傾斜させるよう弾性変形するので、青果物４５を安定に支持し、青果物４５の横揺れを予防することができる。
【００２４】
更に、トレーの青果物保持構造７によれば、トレー５の開口部３の周縁１から外周リング１１を取り外すだけで、外周リング１１とトレー５の底部２７との間から内装部材１５を直ちに取り出すことができる。そして、新たな内装部材１５をトレー５の底部２７に突き当たるようにトレー５の開口部３へ進入させ、開口部３の周縁１に外周リング１１を再び取付ければ、トレー５に新たな内装部材１５を装着することができる。
【００２５】
或いは、外周リング１１が柔軟である場合、外周リング１１の内側が内装部材１５の通過できる広さになるように外周リング１１を変形させれば、外周リング１１をトレー５から取り外すことなく、上記の内装部材１５の取り出し、又は装着を行うことができる。このように、トレーの青果物保持構造７は、内装部材１５の交換を容易に行えるので、トレー５の保守、又は整備の手間が少なくて済むという利点がある。
【００２６】
尚、本発明は、その趣旨を逸脱しない範囲で当業者の知識に基づいて種々なる改良、修正、又は変形を加えた態様でも実施できる。トレー５、外周リング１１、内装部材１５、又は支持体１７を平面図として見たときの外形は、図面に円形として例示されているが、楕円形、又は多角形であっても良い。また、これらの材質は限定されるものではない。
【産業上の利用可能性】
【００２７】
本発明は、あらゆる物品の搬送、及びその位置決めに有益な技術である。
【符号の説明】
【００２８】
１…周縁、３…開口部、５…トレー、７…トレーの青果物保持構造、９…リップ部、１１…外周リング、１３…上端、１５…内装部材、１７…支持体、１９…基材、２１…溝部、２３…爪、２５…通気孔、２７…底部、２９…リブ、３１…縁部、３３…椀形部材、３５…舌片、３７…フランジ、３９…先端、４１…スリット、４３…中央孔、４５…青果物。
【図１】
2011126550.tif 000003
【図２】
2011126550.tif 000004
【図３】
2011126550.tif 000005
【図４】
2011126550.tif 000006
【図５】
2011126550.tif 000007
【図６】
2011126550.tif 000008
【図７】
2011126550.tif 000009
【図８】
2011126550.tif 000010
【図９】
2011126550.tif 000011